(57)【要約】【課題】  広告主から指示があったときに広告情報を表示することができる情報表示装置および情報表示方法を提供する。【解決手段】  リモコン装置２０は、広告表示を要求する要求ボタンが操作されると、リモコンＩＤ格納メモリ２４から端末ＩＤを読み出し、読み出した端末ＩＤを広告表示ディスプレイ３０に送信する。広告表示ディスプレイ３０は、ディスプレイＩＤ格納メモリ３５からディスプレイＩＤを読み出し、読み出したディスプレイＩＤと、受信した端末ＩＤとを広告管理サーバ１０に送信する。広告管理サーバ１０は、受信した端末ＩＤに対応する権利度数が０でないとき、その権利度数を１減算する。そして、受信した端末ＩＤに対応する広告データを記憶部１３から読み出し、読み出した広告データを、受信したディスプレイＩＤの広告表示ディスプレイ３０に送信する。広告表示ディスプレイ３０は、広告管理サーバ１０から受信した広告データを表示する。【選択図】      図１
2010287072.tif 000002
【特許請求の範囲】
【請求項１】
広告を表す広告情報を表示するための表示部と、
前記表示部に広告情報の表示を要求する端末部であって、該端末部には個々の端末部を識別するための端末識別情報が割り当てられており、広告情報の表示を要求するとき、割り当てられた端末識別情報を前記表示部に通知する端末部と、
表示部に広告情報の表示が要求されたとき、広告情報の表示が要求された表示部に通知された端末識別情報に関連付けて記憶部に記憶された広告情報を、広告情報の表示が要求された表示部に表示させる制御部とを備えたことを特徴とする情報表示装置。
【請求項２】
前記制御部は、広告料金に応じて決められる表示部利用可能度数を、端末識別情報に関連付けて記憶し、
前記端末部によって広告情報の表示が要求された表示部に通知された端末識別情報に関連付けて記憶する表示部利用可能度数が利用可能な値である場合、広告情報の表示が要求された表示部に通知された端末識別情報に関連付けて記憶される広告情報を、広告情報の表示が要求された表示部に表示させるとともに、記憶する表示部利用可能度数を表示に必要な度数減算し、
前記端末部によって広告情報の表示が要求された表示部に通知された端末識別情報に関連付けて記憶する表示部利用可能度数が利用可能な値ではない場合、前記端末部によって選択された表示部に通知された端末識別情報に関連付けて記憶される広告情報を、広告情報の表示が要求された表示部に表示しないことを特徴とする請求項１に記載の情報表示装置。
【請求項３】
前記端末部によって広告情報の表示が要求された時点ですでに前記表示部が広告情報を表示しているとき、前記表示部は、広告情報を表示することができない旨を前記端末部に通知し、前記制御部は、前記端末部の端末識別情報に関連付けられた表示部利用可能度数を減算しないことを特徴とする請求項１または２に記載の情報表示装置。
【請求項４】
前記端末部は、表示部に表示すべき広告情報を前記制御部に送信する送信手段を含み、
前記制御部は、送信手段から送信される広告情報を受信する受信手段を含み、前記受信手段によって受信した広告情報を、広告情報を送信した送信手段の端末部の端末識別情報に関連付けて記憶することを特徴とする請求項１〜３のいずれか１つに記載の情報表示装置。
【請求項５】
前記表示部は、各表示部を識別するための表示部識別情報が割り当てられ、
前記制御部は、表示部識別情報を用いて表示部を選択して広告情報を表示することを特徴とする請求項１〜４のいずれか１つに記載の情報表示装置。
【請求項６】
広告を表す広告情報を表示するための表示部と、前記表示部に広告情報の表示を要求する端末部であって、該端末部には個々の端末部を識別するための端末識別情報が割り当てられている端末部と、端末識別情報に関連付けて広告情報を記憶し、前記表示部への広告情報の表示を制御する制御部とを含む情報表示装置に広告情報を表示する情報表示方法であって、
前記端末部が、広告情報の表示を要求するとき、割り当てられた端末識別情報を通知する通知ステップと、
表示部に広告情報の表示が要求されたとき、通知ステップで表示部に通知された端末識別情報に関連付けて記憶部に記憶された広告情報を、広告情報の表示が要求された表示部に表示させる表示ステップとを含むことを特徴とする情報表示方法。
【発明の詳細な説明】
【技術分野】
【０００１】
本発明は、広告などの情報を表示する情報表示装置および情報表示方法に関する。
【背景技術】
【０００２】
図１６は、従来の技術による広告システム９の構成を示すブロック図である。情報表示装置の一例である広告システム９は、インフォメーションディスプレイ９１およびサーバ９２を含んで構成される。インフォメーションディスプレイ９１は、顧客が利用する屋外あるいは屋内に設置され、広告などの情報を表示するための大型のディスプレイである。サーバ９２は、広告代理店などに設置され、予め契約した広告主ごとに、広告と広告の表示を開始する時刻とを関連付けて記憶している。
【０００３】
サーバ９２は、表示を開始する時刻になると、その時刻に関連付けられた広告をインフォメーションディスプレイ９１に送信して表示する。たとえば、時刻「９：００」に、「Ａ社広告」をインフォメーションディスプレイ９１に送信して表示し、時刻「１０：００」に、「Ｂ社広告」をインフォメーションディスプレイ９１に送信して表示し、時刻「１１：００」に、「Ｃ社広告」をインフォメーションディスプレイ９１に送信して表示する。
【０００４】
特許文献１に記載されるＰＯＳシステムは、従来の技術による情報表示装置の他の例である。このＰＯＳシステムは、ＰＯＳ端末および電子掲示板システムからなり、ＰＯＳ端末が、電子掲示板システムで使用する画像情報の使用料金を管理する。ＰＯＳ端末は、画像情報の表示サイズ、種類、使用するエリア、使用する時間、および使用する時間帯などの使用条件に基づいて使用料金を算出する。ＰＯＳ端末で料金の精算が終了すると、ＰＯＳ端末に入力された画像情報は、電子掲示板システムに転送される。電子掲示板システムは、使用条件に応じて画像情報を表示する。
【０００５】
特許文献２に記載されるインターネット上の電子掲示板の広告スペースを販売するシステムは、従来の技術による情報表示装置のさらに他の例である。このシステムは、屋外および屋内の種々の地理的領域に配置され、ウェブアドレスが関連付けられている電子掲示板と、掲示板ウェブサイトを実施するサーバと、いずれかの電子掲示板を選択し、広告のような情報を表示する操作を行うためのクライアントとを含んで構成される。クライアントは、情報を表示する利用可能な時間および継続時間を選択し、クレジットカードなどを用いて広告時間を購入し、表示する情報をサーバにアップロードすることによって、選択した掲示板に、かつ選択した時間および継続時間で情報を表示する。
【先行技術文献】
【特許文献】
【０００６】
【特許文献１】特開平９−３４９５４号公報
【特許文献２】特表２００２−５４３５０１号公報
【発明の概要】
【発明が解決しようとする課題】
【０００７】
しかしながら、これらの従来の技術は、広告などの情報を予め設定されている条件で表示するものであり、広告などの情報を広告主から指示があったときに表示することはできないという問題がある。
【０００８】
本発明の目的は、広告主から指示があったときに広告情報を表示することができる情報表示装置および情報表示方法を提供することである。
【課題を解決するための手段】
【０００９】
本発明は、広告を表す広告情報を表示するための表示部と、
前記表示部に広告情報の表示を要求する端末部であって、該端末部には個々の端末部を識別するための端末識別情報が割り当てられており、広告情報の表示を要求するとき、割り当てられた端末識別情報を前記表示部に通知する端末部と、
表示部に広告情報の表示が要求されたとき、広告情報の表示が要求された表示部に通知された端末識別情報に関連付けて記憶部に記憶された広告情報を、広告情報の表示が要求された表示部に表示させる制御部とを備えたことを特徴とする情報表示装置である。
【００１０】
また本発明は、前記制御部は、広告料金に応じて決められる表示部利用可能度数を、端末識別情報に関連付けて記憶し、
前記端末部によって広告情報の表示が要求された表示部に通知された端末識別情報に関連付けて記憶する表示部利用可能度数が利用可能な値である場合、広告情報の表示が要求された表示部に通知された端末識別情報に関連付けて記憶される広告情報を、広告情報の表示が要求された表示部に表示させるとともに、記憶する表示部利用可能度数を表示に必要な度数減算し、
前記端末部によって広告情報の表示が要求された表示部に通知された端末識別情報に関連付けて記憶する表示部利用可能度数が利用可能な値ではない場合、前記端末部によって選択された表示部に通知された端末識別情報に関連付けて記憶される広告情報を、広告情報の表示が要求された表示部に表示しないことを特徴とする。
【００１１】
また本発明は、前記端末部によって広告情報の表示が要求された時点ですでに前記表示部が広告情報を表示しているとき、前記表示部は、広告情報を表示することができない旨を前記端末部に通知し、前記制御部は、前記端末部の端末識別情報に関連付けられた表示部利用可能度数を減算しないことを特徴とする。
【００１２】
また本発明は、前記端末部は、表示部に表示すべき広告情報を前記制御部に送信する送信手段を含み、
前記制御部は、送信手段から送信される広告情報を受信する受信手段を含み、前記受信手段によって受信した広告情報を、広告情報を送信した送信手段の端末部の端末識別情報に関連付けて記憶することを特徴とする。
【００１３】
また本発明は、前記表示部は、各表示部を識別するための表示部識別情報が割り当てられ、
前記端末部は、表示部識別情報を用いて表示部を選択して広告情報を表示することを特徴とする。
【００１４】
また本発明は、広告を表す広告情報を表示するための表示部と、前記表示部に広告情報の表示を要求する端末部であって、該端末部には個々の端末部を識別するための端末識別情報が割り当てられている端末部と、端末識別情報に関連付けて広告情報を記憶し、前記表示部への広告情報の表示を制御する制御部とを含む情報表示装置に広告情報を表示する情報表示方法であって、
前記端末部が、広告情報の表示を要求するとき、割り当てられた端末識別情報を通知する通知ステップと、
表示部に広告情報の表示が要求されたとき、通知ステップで表示部に通知された端末識別情報に関連付けて記憶部に記憶された広告情報を、広告情報の表示が要求された表示部に表示させる表示ステップとを含むことを特徴とする情報表示方法である。
【発明の効果】
【００１５】
本発明によれば、表示部によって、広告を表す広告情報が表示される。個々の端末部を識別するための端末識別情報が割り当てられた端末部によって、前記表示部に広告情報の表示が要求され、広告情報の表示を要求するとき、割り当てられた端末識別情報が前記表示部に通知される。そして、制御部によって、表示部に広告情報の表示が要求されたとき、広告情報の表示が要求された表示部に通知された端末識別情報に関連付けて記憶部に記憶された広告情報が、広告情報の表示が要求された表示部に表示される。
【００１６】
したがって、端末部によって広告情報の表示が要求されたときに、つまり広告主から指示があったときに、その端末部に対応付けられた広告情報を、端末部によって選択された表示部に表示することができる。
【００１７】
また本発明によれば、前記制御部によって、広告料金に応じて決められる表示部利用可能度数が、端末識別情報に関連付けて記憶される。そして、前記端末部によって広告情報の表示が要求された表示部に通知された端末識別情報に関連付けて記憶する表示部利用可能度数が利用可能な値である場合、前記制御部によって、広告情報の表示が要求された表示部に通知された端末識別情報に関連付けて記憶される広告情報が、広告情報の表示が要求された表示部に表示されるとともに、記憶される表示部利用可能度数が表示に必要な度数減算される。また、前記端末部によって広告情報の表示が要求された表示部に通知された端末識別情報に関連付けて記憶する表示部利用可能度数が利用可能な値ではない場合、前記制御部によって、前記端末部によって選択された表示部に通知された端末識別情報に関連付けて記憶される広告情報が、広告情報の表示が要求された表示部に表示されない。したがって、広告主の情報を広告主が望む時間に表示することができる回数を、広告主が支払った広告料金に応じて制限することができる。
【００１８】
また本発明によれば、前記端末部によって広告情報の表示が要求された時点ですでに前記表示部が広告情報を表示しているとき、前記表示部によって、広告情報を表示することができない旨が前記端末部に通知され、前記制御部によって、前記端末部の端末識別情報に関連付けられた表示部利用可能度数が減算されない。したがって、選択した表示部に、すでに広告情報が表示されているとき、広告主は支払った広告料金が減らされることはなく、支払った広告料金に応じた広告利用回数は必ず広告情報を表示することができる。
【００１９】
また本発明によれば、前記端末部は、表示部に表示すべき広告情報を前記制御部に送信する送信手段を含み、前記制御部は、送信手段から送信される広告情報を受信する受信手段を含む。前記制御部によって、前記受信手段によって受信した広告情報が、広告情報を送信した送信手段の端末部の端末識別情報に関連付けて記憶される。したがって、広告主は、表示したい広告情報を制御部に登録しておくことによって、端末部は、表示部を選択して、広告情報の表示を要求するだけで、登録した広告情報を表示することができ、表示するときに広告情報を表示部に送る必要がない。
【００２０】
また本発明によれば、前記表示部は、各表示部を識別するための表示部識別情報が割り当てられ、前記端末部は、表示部識別情報を用いて表示部を選択して広告情報を表示するので、端末部は、広告情報を表示させたい表示部を表示部識別情報によって特定して選択することができる。
【００２１】
また本発明によれば、広告を表す広告情報を表示するための表示部と、前記表示部に広告情報の表示を要求する端末部であって、該端末部には個々の端末部を識別するための端末識別情報が割り当てられている端末部と、端末識別情報に関連付けて広告情報を記憶し、前記表示部への広告情報の表示を制御する制御部とを含む情報表示装置に広告情報を表示するにあたって、通知ステップでは、前記端末部が、広告情報の表示を要求するとき、割り当てられた端末識別情報を通知する。そして、表示ステップでは、表示部に広告情報の表示が要求されたとき、通知ステップで表示部に通知された端末識別情報に関連付けて記憶部に記憶された広告情報を、広告情報の表示が要求された表示部に表示させる。
【００２２】
したがって、端末部によって広告情報の表示が要求されたときに、つまり広告主から指示があったときに、その端末部に対応付けられた広告情報を、端末部によって選択された表示部に表示することができる。
【図面の簡単な説明】
【００２３】
【図１】本発明の一実施形態である広告システム１の構成を示すブロック図である。
【図２】広告料金を支払うときの処理手順を説明するための図である。
【図３】広告表示を要求するときの処理手順を説明するための図である。
【図４】広告表示の処理手順を説明するための図である。
【図５】広告表示後の状況を説明するための図である。
【図６】顧客の増減に応じた広告料金の支払いを説明するための図である。
【図７】リモコン装置２０での接続処理の処理手順を示すフローチャートである。
【図８】広告管理サーバ１０での接続処理の処理手順を示すフローチャートである。
【図９】リモコン装置２０での入金処理の処理手順を示すフローチャートである。
【図１０】広告管理サーバ１０での入金処理の処理手順を示すフローチャートである。
【図１１】リモコン装置２０での広告データ登録処理の処理手順を示すフローチャートである。
【図１２】広告管理サーバ１０での広告データ登録処理の処理手順を示すフローチャートである。
【図１３】リモコン装置２０での広告表示要求処理の処理手順を示すフローチャートである。
【図１４】広告表示ディスプレイ３０での広告表示処理の処理手順を示すフローチャートである。
【図１５】広告管理サーバ１０での広告表示処理の処理手順を示すフローチャートである。
【図１６】従来の技術による広告システム９の構成を示すブロック図である。
【発明を実施するための形態】
【００２４】
図１は、本発明の一実施形態である広告システム１の構成を示すブロック図である。情報表示装置である広告システム１は、広告を表す広告情報（以下「広告データ」という）を表示するシステムであり、広告管理サーバ１０、リモートコントロール（以下「リモコン」という）装置２０および広告表示ディスプレイ３０を含んで構成される。本発明に係る情報表示方法は、広告システム１で処理される。
【００２５】
制御部である広告管理サーバ１０は、複数の広告表示ディスプレイ３０と通信回線を介して接続され、それぞれの広告表示ディスプレイ３０と通信可能であり、かつ、リモコン装置２０と無線通信可能である。また、リモコン装置２０は、複数の広告表示ディスプレイ３０とそれぞれ無線通信可能である。図１には、広告表示ディスプレイ３０を３つしか示していないが、４つ以上であってもよいし、リモコン装置２０を１つしか示していないが、２つ以上であってもよい。
【００２６】
広告管理サーバ１０は、たとえば広告代理店などに設置され、広告データを記憶し、広告表示ディスプレイ３０への広告データの表示を制御するサーバである。広告管理サーバ１０は、サーバ中央処理装置１１、課金管理部１２、記憶部１３、サーバ通信装置１４およびサーバデータ送受信装置１５を含んで構成される。
【００２７】
サーバ中央処理装置１１は、プログラムを記憶し、記憶するプログラムを実行することによって、サーバ通信装置１４およびサーバデータ送受信装置１５を制御する。課金管理部１２は、サーバ中央処理装置１１がプログラムを実行することによって実現される機能であり、広告データおよび広告表示権利数を広告主ごとに管理する。表示部利用可能度数である広告表示権利数（以下「権利度数」ともいう）は、広告を利用することができる回数であり、広告データを表示するために支払われた広告料金に応じて決められている。記憶部１３は、たとえば半導体メモリあるいは磁気ディスク装置などの記憶装置によって構成され、サーバ中央処理装置１１によって書き込みおよび読み出しが行われる。
【００２８】
記憶部１３は、各広告主に関する情報１３１を記憶する。各広告主に関する情報１３１は、広告主のＩＤ（Identification）、広告主パスワード、広告表示権利数、広告データサイズ、および広告データなどの情報を含む。広告主のＩＤは、各広告主を識別するための広告主識別情報であり、各広告主に提供されるリモコン装置２０を識別するために各リモコン装置２０に割り当てられるリモコンＩＤを広告主識別情報として用いる。リモコンＩＤは、端末識別情報である。広告主パスワードは、広告主がリモコン装置２０から広告管理サーバ１０にアクセスするために各広告主に割り当てられる情報である。広告データサイズは、広告の表示を継続する時間である。
【００２９】
サーバ通信装置１４は、通信回線を介して接続される複数の広告表示ディスプレイ３０のそれぞれのディスプレイ通信装置３７と通信して情報の送受信を行う装置である。サーバ通信装置１４は、サーバ中央処理装置１１から受け取る情報をディスプレイ通信装置３７に送信し、ディスプレイ通信装置３７から受信する情報をサーバ中央処理装置１１に送る。受信手段であるサーバデータ送受信装置１５は、無線通信によってリモコン装置２０のリモコンデータ送受信装置２５と情報の送受信を行う装置であり、サーバ中央処理装置１１から受け取る情報をリモコンデータ送受信装置２５に送信し、リモコンデータ送受信装置２５から受信する情報をサーバ中央処理装置１１に送る。
【００３０】
端末部であるリモコン装置２０は、各広告主に提供され、広告主が広告データを登録するための操作および広告の表示を要求するための操作を行う装置である。リモコン装置２０は、リモコン表示装置２１、操作ボタン２２、リモコン中央処理装置２３、リモコンＩＤ格納メモリ２４およびリモコンデータ送受信装置２５を含んで構成される。
【００３１】
リモコン表示装置２１は、たとえば液晶ディスプレイなどの表示装置によって構成され、リモコン中央処理装置２３から受け取る情報、たとえば広告料金を支払うための操作、広告データを登録するための操作および広告データの表示を要求するための操作などに伴う情報を表示する。操作ボタン２２は、広告料金を支払うための操作、広告データを登録するための操作および広告データの表示を要求するための操作などを行うための操作ボタンであり、たとえば数字、文字などを入力する入力ボタン、入力した情報を確定するための確定ボタン、広告表示を要求する要求ボタン、広告データの登録および広告料金の支払いなどのメニューを表示するための表示ボタンなどがある。操作ボタン２２は、どの操作ボタンが操作されたかをリモコン中央処理装置２３に知らせる。リモコン中央処理装置２３は、プログラムを記憶し、記憶するプログラムを実行することによって、リモコン表示装置２１およびリモコンデータ送受信装置２５を制御する。
【００３２】
リモコンＩＤ格納メモリ２４は、自己に割り当てられたリモコンＩＤ、および広告データを記憶し、リモコン中央処理装置２３によって読み出し可能である。送信手段であるリモコンデータ送受信装置２５は、無線通信によって広告管理サーバ１０のサーバデータ送受信装置１５および広告表示ディスプレイ３０のディスプレイデータ送受信装置３４と情報の送受信を行う装置であり、リモコン中央処理装置２３から受け取る情報をサーバデータ送受信装置１５またはディスプレイデータ送受信装置３４に送信し、サーバデータ送受信装置１５またはディスプレイデータ送受信装置３４から受信する情報をリモコン中央処理装置２３に送る。
【００３３】
表示部である広告表示ディスプレイ３０は、たとえば駅前、ビルの屋上、あるいは各広告主の店の前などに設置される。複数の広告表示ディスプレイ３０は、いずれも同じ構成である。広告表示ディスプレイ３０は、ディスプレイ表示装置３１およびパーソナルコンピュータ（以下「ＰＣ」という）３２を含んで構成される。ＰＣ３２は、ディスプレイ中央処理装置３３、ディスプレイデータ送受信装置３４、ディスプレイＩＤ格納メモリ３５、広告格納メモリ３６およびディスプレイ通信装置３７を含んで構成される。
【００３４】
ディスプレイ表示装置３１は、たとえば大型のディスプレイなどの表示装置によって構成され、ディスプレイ中央処理装置３３から受け取る広告データを表示する。ディスプレイ中央処理装置３３は、プログラムを記憶し、記憶するプログラムを実行することによって、ディスプレイ表示装置３１、ディスプレイデータ送受信装置３４およびディスプレイ通信装置３７を制御する。
【００３５】
ディスプレイデータ送受信装置３４は、無線通信によってリモコン装置２０のリモコンデータ送受信装置２５と情報の送受信を行う装置であり、ディスプレイ中央処理装置３３から受け取る情報をリモコンデータ送受信装置２５に送信し、リモコンデータ送受信装置２５から受信する情報をディスプレイ中央処理装置３３に送る。ディスプレイＩＤ格納メモリ３５は、自己に割り当てられたディスプレイＩＤを記憶する。表示部識別情報であるディスプレイＩＤは、広告表示ディスプレイ３０を識別するために各広告表示ディスプレイ３０に割り当てられるディスプレイ識別情報である。ディスプレイＩＤ格納メモリ３５は、ディスプレイ中央処理装置３３によって読み出し可能である。
【００３６】
広告格納メモリ３６は、広告データを記憶するメモリであり、ディスプレイ中央処理装置３３によって書き込みおよび読み出しが可能である。ディスプレイ中央処理装置３３は、ディスプレイ通信装置３７によって広告管理サーバ１０から受信した広告データを広告格納メモリ３６に記憶し、記憶した広告データを広告格納メモリ３６から読み出してディスプレイ表示装置３１に送り、表示させる。ディスプレイ通信装置３７は、通信回線を介して接続される広告管理サーバ１０のサーバデータ送受信装置１５と通信して情報の送受信を行う装置であり、ディスプレイ中央処理装置３３から受け取る情報をサーバデータ送受信装置１５に送信し、サーバデータ送受信装置１５から受信する情報をディスプレイ中央処理装置３３に送る。
【００３７】
図２は、広告料金を支払う時の処理手順を説明するための図である。処理手順Ｓ１では、広告主は、リモコン装置２０によって、購入を希望する広告表示権利数分の広告料金、たとえば１０，０００円／件を３０件分、つまり３００，０００円を支払う。支払手段は、たとえば電子マネーで支払ってもよいし、クレジットカードなどで決済してもよい。処理手順Ｓ２では、広告代理店などに設置される広告管理サーバ１０は、記憶部１３に記憶される広告表示権利数のうち、広告料金３００，０００円を支払った広告主の現在の広告表示権利数、たとえば５件に、広告料金３００，０００円に応じた広告表示権利数３０件を加算し、３５件とする。
【００３８】
図３は、広告表示を要求するときの処理手順を説明するための図である。広告主の店、たとえばレストランで、午後１２時３０分に、広告主が「お客様が少ないな」と判断し、広告を表示しようと決心し、処理手順Ｓ１１で、広告主は、リモコン装置２０の操作ボタン２２を操作して、複数の広告表示ディスプレイ３０の中から、レストランの前に設置される広告表示ディスプレイ３０を選択し、選択した広告表示ディスプレイ３０に広告表示要求とリモコンＩＤとを送信する。広告表示ディスプレイ３０の選択は、たとえばリモコン装置２０から広告を表示させたい広告表示ディスプレイ３０のディスプレイＩＤを送信することによって、広告を表示させたい広告表示ディスプレイ３０を特定して選択する。
【００３９】
処理手順Ｓ１２では、広告表示ディスプレイ３０は、リモコン装置２０から受信したリモコンＩＤに対応する広告データを、広告管理サーバ１０に要求する。処理手順Ｓ１３では、広告管理サーバ１０は、広告表示要求のあったリモコン装置２０のリモコンＩＤに対応する広告表示権利数を１減少させる。処理手順Ｓ１４では、広告管理サーバ１０は、減少させた広告表示権利数と、リモコンＩＤに対応する広告データとを広告表示ディスプレイ３０に送信する。
【００４０】
図４は、広告表示の処理手順を説明するための図である。処理手順Ｓ２１では、広告表示ディスプレイ３０は、受信した広告データを広告格納メモリ３６に記憶する。処理手順Ｓ２２では、広告表示ディスプレイ３０は、受信した広告表示権利数をリモコン装置２０に通知する。処理手順Ｓ２３では、広告表示ディスプレイ３０は、広告格納メモリ３６から広告データを読み出し、読み出した広告データをディスプレイ表示装置３１に表示する。処理手順Ｓ２４では、リモコン装置２０は、リモコン表示装置２１に、「広告表示開始」および「残り権利数：３４件」と表示する。
【００４１】
図５は、広告表示後の状況を説明するための図である。処理手順Ｓ３１では、広告表示ディスプレイ３０は、所定の時間、たとえば１５分間広告を表示すると、広告の表示を終了する。処理手順Ｓ３２では、午後１２時４５分に、広告主は、「お客様が増えた」という広告の効果を認識する。図２〜図６に示したように、広告主は、状況に応じたタイミングで、たとえば顧客が少ないときに、広告を表示して来客数を増加させることができる。
【００４２】
図６は、顧客の増減に応じた広告料金の支払いを説明するための図である。図６（ａ）は、多くの広告表示をしてお客様の来店が多くなった月の広告料金の支払いを説明するための図であり、図６（ｂ）は、お客様の来店が多く、広告表示を少なくする月の広告料金の支払いを説明するための図である。
【００４３】
図６（ａ）の処理手順Ｓ４１では、広告主は、広告表示の回数が多く、広告表示権利数が少なくなったことを認識する。処理手順Ｓ４２では、広告主は、広告表示権利数をいつもより多く購入する。すなわちいつもより多い広告料金を支払う。図６（ｂ）の処理手順Ｓ５１では、広告主は、お客様の来店が多いため広告の回数が少なく、広告表示権利数が多く残っていることを認識する。処理手順Ｓ５２では、広告主は、広告表示権利数をいつもより少なく購入する。すなわちいつもより少ない広告料金を支払う。したがって、処理手順Ｓ５３では、広告代理店は、予め広告料金を受け取っているので、資金繰りがよい。
【００４４】
図７は、リモコン装置２０での接続処理の処理手順を示すフローチャートである。接続処理は、リモコン装置２０と広告管理サーバ１０とが接続された状態で行われる処理、たとえば広告データの広告管理サーバ１０への登録、あるいは広告料金の広告管理サーバ１０への支払いなどの処理を行う前に、リモコン装置２０と広告管理サーバ１０とを接続するために行われる処理である。リモコン装置２０は、電源が投入され、動作可能状態になると、ステップＡ１に移る。
【００４５】
ステップＡ１では、リモコン中央処理装置２３は、接続指示があったか否かを判定する。たとえば操作ボタン２２が操作され、リモコン装置２０と広告管理サーバ１０とが接続された状態で行われる処理が指示されたとき、接続指示があったと判定し、ステップＡ２に進む。操作ボタン２２が操作されないとき、または操作ボタン２２が操作されても、リモコン装置２０と広告管理サーバ１０とが接続された状態で行われる処理の指示ではないとき、接続指示がないと判定し、ステップＡ１０に進む。
【００４６】
ステップＡ２では、リモコン中央処理装置２３は、リモコンデータ送受信装置２５によってサーバデータ送受信装置１５と通信し、広告管理サーバ１０に接続を要求する。ステップＡ３では、リモコン中央処理装置２３は、接続が完了したか否かを判定する。接続が完了すると、ステップＡ４に進み、接続が完了しないと、ステップＡ２に戻る。
【００４７】
ステップＡ４では、リモコン中央処理装置２３は、リモコンＩＤ格納メモリ２４からリモコンＩＤ（以下「端末ＩＤ」ともいう）を読み出す。ステップＡ５では、リモコン中央処理装置２３は、リモコンＩＤ格納メモリ２４から読み出した端末ＩＤを、リモコンデータ送受信装置２５によって広告管理サーバ１０に送信する。ステップＡ６では、パスワードを入力する処理を行う。具体的には、たとえばリモコン中央処理装置２３は、広告主パスワードを入力するための入力画面をリモコン表示装置２１に表示し、広告主が操作ボタン２２を操作して、リモコン表示装置２１に表示された入力画面で広告主パスワードを入力する。
【００４８】
ステップＡ７では、リモコン中央処理装置２３は、入力された広告主パスワードをリモコンデータ送受信装置２５によって広告管理サーバ１０に送信する。ステップＡ８では、リモコン中央処理装置２３は、リモコンデータ送受信装置２５が広告管理サーバ１０から、一致回答を受信したか否かを判定する。端末ＩＤが一致しないことまたはパスワードが一致しないことを示すエラー回答を受信しないと、一致回答を受信したと判定し、ステップＡ９に進み、エラー回答を受信すると、一致回答を受信しないと判定し、ステップＡ１１に進む。
【００４９】
ステップＡ９では、リモコン中央処理装置２３は、リモコン装置２０と広告管理サーバ１０とが接続された状態で行われる各種処理、たとえば広告データの広告管理サーバ１０への登録、あるいは広告料金の広告管理サーバ１０への支払いなどの処理を行い、接続処理を終了する。リモコン装置２０は、広告データの広告管理サーバ１０への登録、あるいは広告料金の広告管理サーバ１０への支払いなどの処理では、広告データの広告管理サーバ１０への登録のためのコマンド、あるいは広告料金の広告管理サーバ１０への支払いのためのコマンドを、広告管理サーバ１０に送信する。
【００５０】
ステップＡ１０では、リモコン中央処理装置２３は、接続処理以外の端末側、つまりリモコン装置２０側処理を行い、ステップＡ１に戻る。ステップＡ１１では、リモコン中央処理装置２３は、操作ボタン２２の操作によって、接続の終了が指示されたか否かを判定する。接続の終了が指示されると、ステップＡ１２に進み、接続の終了が指示されないと、ステップＡ４に戻る。ステップＡ１２では、リモコン中央処理装置２３は、リモコンデータ送受信装置２５によってサーバデータ送受信装置１５との通信を終了して、広告管理サーバ１０との接続を切断し、接続処理を終了する。
【００５１】
図８は、広告管理サーバ１０での接続処理の処理手順を示すフローチャートである。広告管理サーバ１０は、電源が投入され、動作可能状態になると、ステップＢ１に移る。ステップＢ１では、サーバ中央処理装置１１は、リモコン装置２０から接続要求があった否かを判定する。接続要求があると、ステップＢ２に進み、接続要求がないと、ステップＢ７に進む。ステップＢ２では、サーバ中央処理装置１１は、サーバデータ送受信装置１５によって、リモコンデータ送受信装置２５から送信された端末ＩＤを受信する。
【００５２】
ステップＢ３では、サーバ中央処理装置１１は、サーバデータ送受信装置１５によって受信した端末ＩＤに一致する端末ＩＤが、記憶部１３に記憶される端末ＩＤ、つまり広告主のＩＤの中にあるか否かを判定する。サーバデータ送受信装置１５によって受信した端末ＩＤに一致する端末ＩＤが、記憶部１３に記憶される端末ＩＤの中にあると、ステップＢ４に進み、サーバデータ送受信装置１５によって受信した端末ＩＤに一致する端末ＩＤが、記憶部１３に記憶される端末ＩＤの中にないと、ステップＢ８に進む。
【００５３】
ステップＢ４では、サーバ中央処理装置１１は、サーバデータ送受信装置１５によって、リモコンデータ送受信装置２５から送信された広告主パスワードを受信する。ステップＢ５では、サーバ中央処理装置１１は、サーバデータ送受信装置１５によって受信した広告主パスワードに一致する広告主パスワードが、記憶部１３に記憶される広告主パスワードの中にあるか否かを判定する。サーバデータ送受信装置１５によって受信した広告主パスワードに一致する広告主パスワードが、記憶部１３に記憶される広告主パスワードの中にあると、ステップＢ６に進み、サーバデータ送受信装置１５によって受信した広告主パスワードに一致する広告主パスワードが、記憶部１３に記憶される広告主パスワードの中にないと、ステップＢ８に進む。
【００５４】
ステップＢ６では、サーバ中央処理装置１１は、サーバデータ送受信装置１５によって、リモコンデータ送受信装置２５から送信されたコマンドを受信し、受信したコマンドを実行して、接続処理を終了する。コマンドは、たとえば広告データの広告管理サーバ１０への登録のためのコマンド、あるいは広告料金の広告管理サーバ１０への支払いのためのコマンドである。ステップＢ７では、サーバ中央処理装置１１は、接続処理以外のその他の処理を行い、ステップＢ１に戻る。ステップＢ８では、サーバ中央処理装置１１は、サーバデータ送受信装置１５によって、エラー回答をリモコン装置２０に送信する。
【００５５】
ステップＢ９では、サーバ中央処理装置１１は、回線が切断されたか否かを判定する。サーバデータ送受信装置１５がリモコンデータ送受信装置２５からの通信の切断を検出したとき、回線が切断されたと判定し、ステップＢ１０に進み、サーバデータ送受信装置１５がリモコンデータ送受信装置２５からの通信の切断を検出しないとき、回線が切断されていないと判定し、ステップＢ２に戻る。ステップＢ１０では、サーバ中央処理装置１１は、サーバデータ送受信装置１５による通信を終了して、リモコン装置２０との接続を切断し、接続処理を終了する。
【００５６】
図９は、リモコン装置２０での入金処理の処理手順を示すフローチャートである。入金処理は、リモコン装置２０によって広告料金を支払い、支払った広告料金に応じて決定される広告表示権利数を取得する処理である。図７に示したステップＡ９での処理が、広告料金の広告管理サーバ１０への支払いの処理の場合に、ステップＣ１に進む。
【００５７】
ステップＣ１では、リモコン中央処理装置２３は、リモコンデータ送受信装置２５によって広告管理サーバ１０から現在の権利度数、つまり広告表示権利数を受信する。ステップＣ２では、リモコン中央処理装置２３は、リモコンデータ送受信装置２５によって受信した権利度数をリモコン表示装置２１に表示する。ステップＣ３では、広告料金の金額を入力する処理を行う。具体的には、たとえばリモコン中央処理装置２３は、権利度数を表示するとともに、広告料金の金額を入力するための入力画面をリモコン表示装置２１に表示し、広告主が操作ボタン２２を操作して、リモコン表示装置２１に表示された入力画面で広告料金の金額を入力する。
【００５８】
ステップＣ４では、リモコン中央処理装置２３は、入力された金額が確認されたか否かを判定する。たとえば、操作ボタン２２の中の１つの操作ボタンとして、確認ボタンを設けておき、「入力された金額は正しいですか」とのメッセージをリモコン表示装置２１に表示した後、確認ボタンが操作されたとき、入力された金額が確認されたと判定し、ステップＣ５に進み、確認ボタンが所定の時間内に操作されないとき、入力された金額が確認されないと判定し、ステップＣ６に進む。
【００５９】
ステップＣ５では、リモコン中央処理装置２３は、入力されて確認された広告料金の金額を、リモコンデータ送受信装置２５によって広告管理サーバ１０に送信する。ステップＣ６では、リモコン中央処理装置２３は、操作ボタン２２の操作によって、接続の終了が指示されたか否かを判定する。接続の終了が指示されると、ステップＣ７に進み、接続の終了が指示されないと、ステップＣ１に戻る。ステップＣ７では、リモコン中央処理装置２３は、リモコンデータ送受信装置２５によってサーバデータ送受信装置１５との通信を終了して、広告管理サーバ１０との接続を切断し、入力処理を終了する。
【００６０】
図１０は、広告管理サーバ１０での入金処理の処理手順を示すフローチャートである。図８に示したステップＢ６で受信したコマンドが、広告料金の広告管理サーバ１０への支払いのためのコマンドの場合に、ステップＤ１に進む。
【００６１】
ステップＤ１では、課金管理部１２は、接続されているリモコン装置２０の端末ＩＤに対応付けられている現在の権利度数を記憶部１３から読み出し、読み出した現在の権利度数を、サーバデータ送受信装置１５によってリモコン装置２０に送信する。ステップＤ２では、課金管理部１２は、金額を受信したか否かを判定する。サーバデータ送受信装置１５がリモコンデータ送受信装置２５から広告料金の金額を受信すると、金額を受信したと判定し、ステップＤ３に進み、サーバデータ送受信装置１５がリモコンデータ送受信装置２５から広告料金の金額を受信しないと、金額を受信しないと判定し、ステップＤ５に進む。
【００６２】
ステップＤ３では、課金管理部１２は、サーバデータ送受信装置１５によって受信した広告料金の金額から権利度数を計算する。たとえば、権利度数の単価が１０，０００円／件で、受信した広告料金の金額が３００，０００円であると、権利度数は、３００，０００／１０，０００＝３０件となる。ステップＤ４では、課金管理部１２は、記憶部１３に記憶する権利度数を更新して、ステップＤ１に戻る。たとえば現在の権利度数が５件である場合、受信した広告料金の金額に相当する権利度数３０件を加算し、記憶部１３に記憶する権利度数を３５件に更新し、ステップＤ１に戻る。
【００６３】
ステップＤ５では、課金管理部１２は、回線が切断されたか否かを判定する。サーバデータ送受信装置１５がリモコンデータ送受信装置２５からの通信の切断を検出したとき、回線が切断されたと判定し、ステップＤ６に進み、サーバデータ送受信装置１５がリモコンデータ送受信装置２５からの通信の切断を検出しないとき、回線が切断されていないと判定し、ステップＤ１に戻る。ステップＤ６では、サーバ中央処理装置１１は、サーバデータ送受信装置１５による通信を終了して、リモコン装置２０との接続を切断し、入力処理を終了する。
【００６４】
図１１は、リモコン装置２０での広告データ登録処理の処理手順を示すフローチャートである。広告データ登録処理は、広告主が広告したい広告データをリモコン装置２０から広告管理サーバ１０に送信し、広告管理サーバ１０に登録する処理である。図７に示したステップＡ９での処理が、広告データの広告管理サーバ１０への登録の処理の場合に、ステップＥ１に進む。
【００６５】
ステップＥ１では、リモコン中央処理装置２３は、リモコンＩＤ格納メモリ２４から広告データを読み出す。ステップＥ２では、リモコン中央処理装置２３は、読み出した広告データの一覧表を作成し、作成した一覧表をリモコン表示装置２１に表示する。ステップＥ３では、リモコン中央処理装置２３は、広告データを選択する処理を行う。具体的には、たとえばリモコン中央処理装置２３は、一覧表をリモコン表示装置２１に選択可能に表示し、いずれかが選択された状態で確定ボタンが操作されたとき、広告データが選択されたと判断する。
【００６６】
ステップＥ４では、リモコン中央処理装置２３は、選択された広告データをリモコンデータ送受信装置２５によって広告管理サーバ１０に送信する。ステップＥ５では、リモコン中央処理装置２３は、受信成功を受信したか否かを判定する。リモコンデータ送受信装置２５がサーバデータ送受信装置１５から受信成功を受信すると、ステップＥ６に進み、リモコンデータ送受信装置２５がサーバデータ送受信装置１５から受信成功を受信しないと、ステップＥ４に戻る。
【００６７】
ステップＥ６では、リモコン中央処理装置２３は、操作ボタン２２の操作によって、接続の終了が指示されたか否かを判定する。接続の終了が指示されると、ステップＥ７に進み、接続の終了が指示されないと、ステップＥ１に戻る。ステップＥ７では、リモコン中央処理装置２３は、リモコンデータ送受信装置２５によってサーバデータ送受信装置１５との通信を終了して、広告管理サーバ１０との接続を切断し、広告データ登録処理を終了する。
【００６８】
図１２は、広告管理サーバ１０での広告データ登録処理の処理手順を示すフローチャートである。図８に示したステップＢ６で受信したコマンドが、広告データの広告管理サーバ１０への登録のためのコマンドの場合に、ステップＦ１に進む。
【００６９】
ステップＦ１では、課金管理部１２は、サーバデータ送受信装置１５によって、リモコンデータ送受信装置２５から送信された広告データを受信する。ステップＦ２では、課金管理部１２は、広告データの受信が成功したか否かを判定する。広告データをエラーなく受信したとき、広告データの受信が成功したと判定し、ステップＦ３に進み、広告データをエラーなく受信しなかったとき、広告データの受信が成功しなかったと判定し、ステップＦ５に進む。
【００７０】
ステップＦ３では、課金管理部１２は、接続されているリモコン装置２０の端末ＩＤに対応付けて、ステップＦ１で受信した広告データを記憶部１３に記憶する。ステップＦ４では、課金管理部１２は、サーバデータ送受信装置１５によって、受信成功をリモコン装置２０に送信する。
【００７１】
ステップＦ５では、課金管理部１２は、回線が切断されたか否かを判定する。サーバデータ送受信装置１５がリモコンデータ送受信装置２５からの通信の切断を検出したとき、回線が切断されたと判定し、ステップＦ６に進み、サーバデータ送受信装置１５がリモコンデータ送受信装置２５からの通信の切断を検出しないとき、回線が切断されていないと判定し、ステップＦ１に戻る。ステップＦ６では、サーバ中央処理装置１１は、サーバデータ送受信装置１５による通信を終了して、リモコン装置２０との接続を切断し、広告データ登録処理を終了する。
【００７２】
図１３は、リモコン装置２０での広告表示要求処理の処理手順を示すフローチャートである。図７に示したステップＡ９での処理が、広告データの広告管理サーバ１０への登録の処理でも、広告料金の広告管理サーバ１０への支払いの処理でない場合に、ステップＧ１に進む。
【００７３】
ステップＧ１では、リモコン中央処理装置２３は、表示要求があるか否かを判定する。広告表示を要求する要求ボタンが操作されると、表示要求があると判定し、ステップＧ２に進み、広告表示を要求する要求ボタンが操作されないと、表示要求がないと判定し、ステップＧ１に戻る。ステップＧ２では、リモコン中央処理装置２３は、ディスプレイに接続する。すなわち、リモコンデータ送受信装置２５によってディスプレイデータ送受信装置３４と通信し、広告表示ディスプレイ３０と接続する。
【００７４】
ステップＧ３では、リモコン中央処理装置２３は、リモコンＩＤ格納メモリ２４から端末ＩＤを読み出し、読み出した端末ＩＤを、リモコンデータ送受信装置２５によって広告表示ディスプレイ３０に送信する。ステップＧ４では、リモコン中央処理装置２３は、広告表示の要求をリモコンデータ送受信装置２５によって広告表示ディスプレイ３０に送信する。ステップＧ２〜Ｇ４は、通知ステップである。
【００７５】
ステップＧ５では、リモコン中央処理装置２３は、要求が許諾されたか否かを判定する。リモコンデータ送受信装置２５がディスプレイデータ送受信装置３４から広告表示の要求に対する許諾を受信すると、要求が許諾されたと判定し、ステップＧ６に進み、リモコンデータ送受信装置２５がディスプレイデータ送受信装置３４から広告表示の要求に対する拒否を受信すると、要求が許諾されないと判定し、ステップＧ１０に進む。
【００７６】
ステップＧ６では、リモコン中央処理装置２３は、広告表示ディスプレイ３０によって広告表示の要求が許諾されたことを示す許諾表示をリモコン表示装置２１に表示する。ステップＧ７では、リモコン中央処理装置２３は、リモコンデータ送受信装置２５によってディスプレイデータ送受信装置３４から権利度数を受信する。ステップＧ８では、リモコン中央処理装置２３は、ステップＧ７で受信した権利度数をリモコン表示装置２１に表示する。
【００７７】
ステップＧ９では、リモコン中央処理装置２３は、リモコンデータ送受信装置２５によってサーバデータ送受信装置１５との通信を終了して、広告管理サーバ１０との接続を切断し、広告表示要求処理を終了する。ステップＧ１０では、リモコン中央処理装置２３は、広告表示ディスプレイ３０によって広告表示の要求が許諾されなかったことを示すエラー表示をリモコン表示装置２１に表示し、ステップＧ７に進む。
【００７８】
図１４は、広告表示ディスプレイ３０での広告表示処理の処理手順を示すフローチャートである。広告表示ディスプレイ３０は、電源が投入され、動作可能状態になると、ステップＨ１に移る。
【００７９】
ステップＨ１では、ディスプレイ中央処理装置３３は、広告要求があるか否かを判定する。ディスプレイデータ送受信装置３４がリモコンデータ送受信装置２５から広告表示の要求を受信すると、広告要求があると判定し、ステップＨ２に進み、ディスプレイデータ送受信装置３４がリモコンデータ送受信装置２５から広告表示の要求を受信しないと、広告要求がないと判定し、ステップＨ１に戻る。
【００８０】
ステップＨ２では、ディスプレイ中央処理装置３３は、広告表示中であるか否かを判定する。広告表示中であるときは、ステップＨ１６に進み、広告表示中でないときは、ステップＨ３に進む。ステップＨ３では、ディスプレイ中央処理装置３３は、ディスプレイデータ送受信装置３４によってリモコンデータ送受信装置２５から端末ＩＤを受信する。ステップＨ４では、ディスプレイ中央処理装置３３は、ディスプレイ通信装置３７によってサーバ通信装置１４と通信し、広告代理店に設置される広告管理サーバ１０に接続する。
【００８１】
ステップＨ５では、ディスプレイ中央処理装置３３は、広告表示を要求する。具体的には、ディスプレイ通信装置３７によって、広告データの送信を広告管理サーバ１０に要求する。ステップＨ６では、ディスプレイ中央処理装置３３は、ステップＨ３で受信した端末ＩＤをディスプレイ通信装置３７によって、広告代理店に設置される広告管理サーバ１０に送信する。ステップＨ７では、ディスプレイ中央処理装置３３は、ディスプレイＩＤ格納メモリ３５からディスプレイＩＤを読み出し、読み出したディスプレイＩＤをディスプレイ通信装置３７によって、広告代理店に設置される広告管理サーバ１０に送信する。
【００８２】
ステップＨ８では、ディスプレイ中央処理装置３３は、要求が許諾されたか否かを判定する。ディスプレイ通信装置３７がサーバ通信装置１４から広告データの送信の要求に対する許諾を受信すると、要求が許諾されたと判定し、ステップＨ９に進み、ディスプレイ通信装置３７がサーバ通信装置１４から広告データの送信の要求に対する拒否を受信すると、要求が許諾されないと判定し、ステップＨ１６に進む。
【００８３】
ステップＨ９では、ディスプレイ中央処理装置３３は、ディスプレイ通信装置３７によって、広告代理店に設置される広告管理サーバ１０のサーバ通信装置１４から広告データを受信する。ステップＨ１０では、ディスプレイ中央処理装置３３は、ディスプレイ通信装置３７によって受信した広告データを広告格納メモリ３６に記憶する。ステップＨ１１では、ディスプレイ中央処理装置３３は、ディスプレイデータ送受信装置３４によって、広告表示の要求に対する許諾をリモコン装置２０に送信する。
【００８４】
ステップＨ１２では、ディスプレイ中央処理装置３３は、ディスプレイデータ送受信装置３４によって、サーバ通信装置１４から権利度数を受信する。ステップＨ１３では、ディスプレイ中央処理装置３３は、ディスプレイデータ送受信装置３４によって、ステップＨ１２で受信した権利度数をリモコン装置２０に送信する。
【００８５】
ステップＨ１４では、ディスプレイ中央処理装置３３は、ディスプレイデータ送受信装置３４によってリモコンデータ送受信装置２５との通信を終了して、リモコン装置２０との接続を切断するとともに、ディスプレイ通信装置３７によってサーバ通信装置１４との通信を終了して、広告管理サーバ１０との接続を切断する。ステップＨ１５では、ディスプレイ中央処理装置３３は、広告格納メモリ３６に記憶した広告データを読み出し、読み出した広告データをディスプレイ表示装置３１に表示して、広告表示処理を終了する。
【００８６】
ステップＨ１６では、ディスプレイ中央処理装置３３は、ディスプレイデータ送受信装置３４によって、広告表示の要求に対する拒否をリモコン装置２０に送信する。ステップＨ１７では、ディスプレイ中央処理装置３３は、ディスプレイ通信装置３７によって、サーバ通信装置１４から権利度数を受信する。ステップＨ１８では、ディスプレイ中央処理装置３３は、ディスプレイデータ送受信装置３４によって、ステップＨ１７で受信した権利度数をリモコン装置２０に送信する。
【００８７】
ステップＨ１９では、ディスプレイ中央処理装置３３は、ディスプレイデータ送受信装置３４によってリモコンデータ送受信装置２５との通信を終了して、リモコン装置２０との接続を切断するとともに、ディスプレイ通信装置３７によってサーバ通信装置１４との通信を終了して、広告管理サーバ１０との接続を切断し、広告表示処理を終了する。
【００８８】
図１５は、広告管理サーバ１０での広告表示処理の処理手順を示すフローチャートである。図８に示したフローチャートでステップＢ７に進むと、ステップＪ１に移る。ステップＪ１では、課金管理部１２は、広告表示要求があるか否かを判定する。サーバ通信装置１４がディスプレイ通信装置３７から広告データの送信の要求を受信すると、広告表示要求があると判定し、ステップＪ２に進み、サーバ通信装置１４がディスプレイ通信装置３７から広告データの送信の要求を受信しないと、広告表示要求がないと判定し、ステップＪ１に戻る。
【００８９】
ステップＪ２では、課金管理部１２は、サーバ通信装置１４によってディスプレイ通信装置３７から端末ＩＤを受信する。ステップＪ３では、課金管理部１２は、サーバ通信装置１４によってディスプレイ通信装置３７からディスプレイＩＤを受信する。ステップＪ４では、課金管理部１２は、権利度数に残があるか否かを判定する。記憶部１３に記憶される権利度数のうち、ステップＪ２で受信した端末ＩＤに対応する権利度数が０でないとき、権利度数に残があると判定し、ステップＪ５に進み、記憶部１３に記憶される権利度数のうち、ステップＪ２で受信した端末ＩＤに対応する権利度数が０であるとき、権利度数に残がないと判定し、ステップＪ１１に進む。
【００９０】
ステップＪ５では、課金管理部１２は、記憶部１３に記憶される権利度数のうち、ステップＪ２で受信した端末ＩＤに対応する権利度数を、１減算し、減算した権利度数に更新する。ステップＪ６では、課金管理部１２は、サーバ通信装置１４によって、要求の許諾、すなわち広告データの送信の要求に対する許諾を広告表示ディスプレイ３０に送信する。
【００９１】
ステップＪ７では、課金管理部１２は、記憶部１３からステップＪ２で受信した端末ＩＤに対応する広告データを読み出す。ステップＪ８では、課金管理部１２は、読み出した広告データをサーバ通信装置１４によって、ステップＪ３で受信したディスプレイＩＤの広告表示ディスプレイ３０に送信する。ステップＪ９では、課金管理部１２は、記憶部１３からステップＪ２で受信した端末ＩＤに対応する権利度数を読み出し、読み出した権利度数をサーバ通信装置１４によって広告表示ディスプレイ３０に送信する。
【００９２】
ステップＪ１０では、課金管理部１２は、サーバ通信装置１４によってディスプレイ通信装置３７との通信を終了して、広告表示ディスプレイ３０との接続を切断し、広告表示処理を終了する。ステップＪ１１では、課金管理部１２は、サーバ通信装置１４によって、要求の拒否、すなわち広告データの送信の要求に対する拒否を広告表示ディスプレイ３０に送信し、ステップＪ９に進む。図１４に示したステップＨ１〜Ｈ１５および図１５に示したステップＪ１〜Ｊ１０は、表示ステップである。
【００９３】
このように、広告表示ディスプレイ３０によって、広告を表す広告データが表示される。個々のリモコン装置２０を識別するためのリモコンＩＤが割り当てられたリモコン装置２０によって、広告表示ディスプレイ３０に広告データの表示が要求され、広告データの表示を要求するとき、割り当てられたリモコンＩＤが広告表示ディスプレイ３０に通知される。そして、広告管理サーバ１０によって、広告表示ディスプレイ３０に広告データの表示が要求されたとき、広告データの表示が要求された広告表示ディスプレイ３０に通知されたリモコンＩＤに関連付けて記憶部３０に記憶された広告データが、広告データの表示が要求された広告表示ディスプレイ３０に表示される。
【００９４】
したがって、リモコン装置２０によって広告データの表示が要求されたときに、つまり広告主から指示があったときに、そのリモコン装置２０に対応付けられた広告データを、リモコン装置２０によって選択された広告表示ディスプレイ３０に表示することができる。
【００９５】
さらに、広告管理サーバ１０によって、広告料金に応じて決められる広告表示権利数が、リモコンＩＤに関連付けて記憶される。そして、リモコン装置２０によって広告データの表示が要求された広告表示ディスプレイ３０に通知されたリモコンＩＤに関連付けて記憶する広告表示権利数が利用可能な値である場合、たとえば０でない場合、広告管理サーバ１０によって、広告データの表示が要求された広告表示ディスプレイ３０に通知されたリモコンＩＤに関連付けて記憶される広告データが、広告データの表示が要求された広告表示ディスプレイ３０に表示されるとともに、記憶される広告表示権利数が表示に必要な度数、たとえば１減算される。また、リモコン装置２０によって広告データの表示が要求された広告表示ディスプレイ３０に通知されたリモコンＩＤに関連付けて記憶する広告表示権利数が利用可能な値ではない場合、たとえば０である場合、広告管理サーバ１０によって、リモコン装置２０によって選択された広告表示ディスプレイ３０に通知されたリモコンＩＤに関連付けて記憶される広告データが、広告データの表示が要求された広告表示ディスプレイ３０に表示されない。したがって、広告主の情報を広告主が望む時間に表示することができる回数を、広告主が支払った広告料金に応じて制限することができる。
【００９６】
さらに、リモコン装置２０によって広告データの表示が要求された時点ですでに広告表示ディスプレイ３０が広告データを表示しているとき、広告表示ディスプレイ３０によって、広告データを表示することができない旨がリモコン装置２０に通知され、広告管理サーバ１０によって、リモコン装置２０のリモコンＩＤに関連付けられた広告表示権利数が減算されない。したがって、選択した広告表示ディスプレイ３０に、すでに広告データが表示されているとき、広告主は支払った広告料金が減らされることはなく、支払った広告料金に応じた広告利用回数は必ず広告データを表示することができる。
【００９７】
さらに、リモコン装置２０は、広告表示ディスプレイ３０に表示すべき広告データを広告管理サーバ１０に送信するリモコンデータ送受信装置２５を含み、広告管理サーバ１０は、リモコンデータ送受信装置２５から送信される広告データを受信するサーバデータ送受信装置１５を含む。広告管理サーバ１０によって、サーバデータ送受信装置１５によって受信した広告データが、広告データを送信したリモコンデータ送受信装置２５のリモコン装置２０のリモコンＩＤに関連付けて記憶される。したがって、広告主は、表示したい広告データを広告管理サーバ１０に登録しておくことによって、リモコン装置２０は、広告表示ディスプレイ３０を選択して、広告データの表示を要求するだけで、登録した広告データを表示することができ、表示するときに広告データを広告表示ディスプレイ３０に送る必要がない。
【００９８】
さらに、広告表示ディスプレイ３０は、各広告表示ディスプレイ３０を識別するためのディスプレイＩＤが割り当てられ、リモコン装置２０は、ディスプレイＩＤを用いて広告表示ディスプレイ３０を選択して広告データを表示するので、リモコン装置２０は、広告データを表示させたい広告表示ディスプレイ３０をディスプレイＩＤによって特定して選択することができる。
【００９９】
さらに、広告を表す広告データを表示するための広告表示ディスプレイ３０と、広告表示ディスプレイ３０に広告データの表示を要求するリモコン装置２０であって、該リモコン装置２０には個々のリモコン装置２０を識別するためのリモコンＩＤが割り当てられているリモコン装置２０と、リモコンＩＤに関連付けて広告データを記憶し、広告表示ディスプレイ３０への広告データの表示を制御する広告管理サーバ１０とを含む情報表示装置に広告データを表示するにあたって、図１３に示したステップＧ２〜Ｇ４では、リモコン装置２０が、広告データの表示を要求するとき、割り当てられたリモコンＩＤを通知する。そして、図１４に示したステップＨ１〜Ｈ１５および図１５に示したステップＪ１〜Ｊ１０では、広告表示ディスプレイ３０に広告データの表示が要求されたとき、図１３に示したステップＧ２〜Ｇ４で広告表示ディスプレイ３０に通知されたリモコンＩＤに関連付けて記憶部３０に記憶された広告データを、広告データの表示が要求された広告表示ディスプレイ３０に表示させる。
【０１００】
したがって、リモコン装置２０によって広告データの表示が要求されたときに、つまり広告主から指示があったときに、そのリモコン装置２０に対応付けられた広告データを、リモコン装置２０によって選択された広告表示ディスプレイ３０に表示することができる。
【符号の説明】
【０１０１】
１，９  広告システム
１０  広告管理サーバ
１１  サーバ中央処理装置
１２  課金管理部
１３  記憶部
１４  サーバ通信装置
１５  サーバデータ送受信装置
２０  リモコン装置
２１  リモコン表示装置
２２  操作ボタン
２３  リモコン中央処理装置
２４  リモコンＩＤ格納メモリ
２５  リモコンデータ送受信装置
３０  広告表示ディスプレイ
３１  ディスプレイ表示装置
３２  ＰＣ
３３  ディスプレイ中央処理装置
３４  ディスプレイデータ送受信装置
３５  ディスプレイＩＤ格納メモリ
３６  広告格納メモリ
３７  ディスプレイ通信装置
９１  インフォメーションディスプレイ
９２  サーバ
１３１  広告主に関する情報
【図１】
2010287072.tif 000003
【図２】
2010287072.tif 000004
【図３】
2010287072.tif 000005
【図４】
2010287072.tif 000006
【図５】
2010287072.tif 000007
【図６】
2010287072.tif 000008
【図７】
2010287072.tif 000009
【図８】
2010287072.tif 000010
【図９】
2010287072.tif 000011
【図１０】
2010287072.tif 000012
【図１１】
2010287072.tif 000013
【図１２】
2010287072.tif 000014
【図１３】
2010287072.tif 000015
【図１４】
2010287072.tif 000016
【図１５】
2010287072.tif 000017
【図１６】
2010287072.tif 000018